(57)【特許請求の範囲】
【請求項１】
内部に洗濯物を収容するための洗濯槽と、
前記洗濯槽内に風を導き入れるための風路と、
前記洗濯槽の上方に配置され、前記洗濯槽内の洗濯物を浄化するための気体を発生する気体発生装置と、
前記気体発生装置から下方向きに延びて前記風路に接続され、前記気体発生装置が発生した気体を前記風路内に導くための導路と、
を備えていることを特徴とする洗濯機。
【請求項２】
前記気体発生装置は、洗濯物を浄化するための気体を発生する気体発生面を有する気体発生部材を含み、
前記気体発生部材は、前記気体発生面が水平面に対して直交または傾斜するように配置されていることを特徴とする請求項１記載の洗濯機。
【請求項３】
内部に洗濯物を収容するための洗濯槽と、
前記洗濯槽内に風を導き入れるための風路と、
前記洗濯槽内の洗濯物を浄化するための気体を発生する気体発生装置と、
前記風路と前記気体発生装置とを連通し、前記気体発生装置が発生した気体を前記風路内に導くための導路と、
を備え、
前記気体発生装置は、洗濯物を浄化するための気体を発生する気体発生面を有する気体発生部材を含み、
前記気体発生部材は、前記気体発生面が水平面に対して直交または傾斜するように配置されていることを特徴とする洗濯機。
【請求項４】
前記風路の途中に配置され、前記風路から前記洗濯槽内に風を送り込むための送風装置を備え、
前記導路は、風が前記風路から前記洗濯槽へ流れる方向において、前記送風装置よりも上流側で前記風路に接続され、
前記送風装置は、前記気体発生装置に対して隣接配置されていることを特徴とする請求項１〜３のいずれかに記載の洗濯機。
【請求項５】
前記洗濯槽内に水を供給するための第１給水装置と、
前記第１給水装置と前記気体発生装置とを互いに隣接するように収容し、前記洗濯機の外殻をなす筐体と、
前記筐体に形成されていて、前記第１給水装置と前記気体発生装置との間を遮る壁と、
を備えていることを特徴とする請求項４記載の洗濯機。
【請求項６】
前記筐体には、前記洗濯槽内に洗濯物を出し入れするための出入口が形成されており、
前記筐体に設けられ、スライドすることで前記出入口を開閉するドアを備え、
前記筐体において前記ドアがスライドする領域内に前記気体発生装置が配置され、
前記筐体において前記ドアがスライドする領域外に前記第１給水装置が配置されていることを特徴とする請求項５記載の洗濯機。
【請求項７】
前記壁によって前記ドアのスライドが案内されることを特徴とする請求項６記載の洗濯機。
【請求項８】
前記洗濯槽内に水を供給するための第２給水装置を備え、
前記第２給水装置は、前記気体発生装置との間に前記送風装置を挟むように配置されていることを特徴とする請求項６または７記載の洗濯機。
【請求項９】
前記筐体において前記ドアがスライドする領域外に前記第２給水装置が配置されていることを特徴とする請求項８記載の洗濯機。
【発明の詳細な説明】
【技術分野】
【０００１】
この発明は、洗濯機に関する。
【背景技術】
【０００２】
従来より、オゾン発生装置で発生したオゾンを接続管から洗濯槽内に供給し、洗濯槽内の洗濯物を除菌するようにした洗濯機が、特許文献１により提案されている。
【特許文献１】特開２００２−３２０７９２号公報
【発明の開示】
【発明が解決しようとする課題】
【０００３】
特許文献１に記載の洗濯機において、接続管は、オゾン発生装置から水平方向に延びて注水ケースに接続されている。そのため、オゾン発生装置で発生したオゾンは、接続管においては水平方向に流れて注水ケース内に流入し、その後、ダクトを介して下降して洗濯槽内に供給される。
接続管の内外に温度差が生じると結露が発生するので、結露による水滴が接続管の内面に付着した場合、その水滴が接続管内を水平に流れてオゾン発生装置内に浸入する虞がある。そして、オゾン発生装置が浸水し、上述した水滴が、オゾン発生装置内で実際にオゾンを発生させる電極に付着すると、オゾン発生効率の低下、つまり洗濯物の除菌効率の低下といった不具合が生じる。また、洗濯時において洗濯槽内で発生した水泡や洗剤泡も、ダクトおよび注水ケースを介して接続管内に浸入し、破泡することで水滴になると、上述した結露による水滴と同様に、オゾン発生装置内に浸入する虞がある。
【０００４】
もちろん、上述した部品をコンパクトかつ機能的に配置できることが望ましい。
このような背景のもとになされたこの発明は、洗濯物を浄化するための気体を発生する装置への浸水を防止して洗濯物を効率的に浄化することができる洗濯機を提供することを主たる目的とする。
また、この発明は、洗濯物を浄化するための気体を発生する装置を具備しつつ、コンパクトな洗濯機を提供することを別の目的とする。
【０００５】
そして、この発明は、シンプルな構成でありながら機能的な洗濯機を提供することをさらに別の目的とする。
【課題を解決するための手段】
【０００６】
請求項１記載の発明は、内部に洗濯物を収容するための洗濯槽と、前記洗濯槽内に風を導き入れるための風路と、前記洗濯槽の上方に配置され、前記洗濯槽内の洗濯物を浄化するための気体を発生する気体発生装置と、前記気体発生装置から下方向きに延びて前記風路に接続され、前記気体発生装置が発生した気体を前記風路内に導くための導路と、を備えていることを特徴とする洗濯機である。
【０００７】
請求項２記載の発明は、前記気体発生装置は、洗濯物を浄化するための気体を発生する気体発生面を有する気体発生部材を含み、前記気体発生部材は、前記気体発生面が水平面に対して直交または傾斜するように配置されていることを特徴とする請求項１記載の洗濯機である。
請求項３記載の発明は、内部に洗濯物を収容するための洗濯槽と、前記洗濯槽内に風を導き入れるための風路と、前記洗濯槽内の洗濯物を浄化するための気体を発生する気体発生装置と、前記風路と前記気体発生装置とを連通し、前記気体発生装置が発生した気体を前記風路内に導くための導路と、を備え、前記気体発生装置は、洗濯物を浄化するための気体を発生する気体発生面を有する気体発生部材を含み、前記気体発生部材は、前記気体発生面が水平面に対して直交または傾斜するように配置されていることを特徴とする洗濯機である。
【０００８】
請求項４記載の発明は、前記風路の途中に配置され、前記風路から前記洗濯槽内に風を送り込むための送風装置を備え、前記導路は、風が前記風路から前記洗濯槽へ流れる方向において、前記送風装置よりも上流側で前記風路に接続され、前記送風装置は、前記気体発生装置に対して隣接配置されていることを特徴とする請求項１〜３のいずれかに記載の洗濯機である。
【０００９】
請求項５記載の発明は、前記洗濯槽内に水を供給するための第１給水装置と、前記第１給水装置と前記気体発生装置とを互いに隣接するように収容し、前記洗濯機の外殻をなす筐体と、前記筐体に形成されていて、前記第１給水装置と前記気体発生装置との間を遮る壁と、を備えていることを特徴とする請求項４記載の洗濯機である。
請求項６記載の発明は、前記筐体には、前記洗濯槽内に洗濯物を出し入れするための出入口が形成されており、前記筐体に設けられ、スライドすることで前記出入口を開閉するドアを備え、前記筐体において前記ドアがスライドする領域内に前記気体発生装置が配置され、前記筐体において前記ドアがスライドする領域外に前記第１給水装置が配置されていることを特徴とする請求項５記載の洗濯機である。
【００１０】
請求項７記載の発明は、前記壁によって前記ドアのスライドが案内されることを特徴とする請求項６記載の洗濯機である。
請求項８記載の発明は、前記洗濯槽内に水を供給するための第２給水装置を備え、前記第２給水装置は、前記気体発生装置との間に前記送風装置を挟むように配置されていることを特徴とする請求項６または７記載の洗濯機である。
【００１１】
請求項９記載の発明は、前記筐体において前記ドアがスライドする領域外に前記第２給水装置が配置されていることを特徴とする請求項８記載の洗濯機である。
【発明の効果】
【００１２】
請求項１記載の発明によれば、気体発生装置が発生した気体を、導路によって風路内に導き、風路内を流れる風に乗せることでこの気体を洗濯槽内に供給し、洗濯槽内の洗濯物を浄化することができる。この導路は、気体発生装置から下方向きに延びて風路に接続されているので、導路内外の温度差によって導路内に結露が生じたとしても、その結露によって生じた水滴は、自重によって風路へ向けて下降し、気体発生装置内には浸入しない。また、洗濯槽内で発生した水泡や洗剤泡が導路内に浸入し、破泡することで水滴になったとしても、結露による水滴と同様に、自重によって風路へ向けて下降し、気体発生装置内には浸入しない。そして、気体発生装置は、洗濯槽の上方に配置されているので、上述した水滴の浸入を一層確実に防止することができる。そのため、気体発生装置への浸水を防止することができ、洗濯物を効率的に浄化することができる。
【００１３】
請求項２記載の発明によれば、気体発生面が水平面に対して直交または傾斜するように配置されているので、気体発生面に水滴が付着しても、その水滴は、自重により下方へ落下する。そのため、気体発生面への浸水を防止することができるので、洗濯物を一層効率的に浄化することができる。
請求項３記載の発明によれば、気体発生装置に含まれる気体発生部材が気体発生面で発生した気体を、導路によって風路内に導き、風路内を流れる風に乗せることで洗濯槽内に供給し、洗濯槽内の洗濯物を浄化することができる。この気体発生面は、水平面に対して直交または傾斜するように配置されているので、気体発生面に水滴が付着しても、その水滴は、自重により下方へ落下する。そのため、気体発生面への浸水を防止することができるので、洗濯物を効率的に浄化することができる。
【００１４】
請求項４記載の発明によれば、風路の途中に配置された送風装置が作動しているとき、風が風路から洗濯槽へ流れる方向において、風路の、送風装置よりも上流側は負圧となる。その上流側にて導路は風路に接続されているので、送風装置が作動しているとき、気体発生装置が発生した気体は、風路内へ効率的に供給される。そして、送風装置が気体発生装置に対して隣接配置されているので、導路を比較的短くすることができ、気体発生装置で発生した気体は、風路内へ一層効率的に供給される。また、導路が短くなることにより、導路内外の温度差が生じにくくなるので、結露が生じにくくなる。そのため、洗濯物を一層効率的に浄化することができる。
【００１５】
請求項５記載の発明によれば、壁によって第１給水装置と気体発生装置との間が遮られているので、第１給水装置からの水による気体発生装置への浸水を防止することができる。さらに、第１給水装置と気体発生装置とを互いに隣接するように筐体に収容することにより、洗濯機をコンパクトに構成することができる。
請求項６記載の発明によれば、筐体においてドアがスライドする領域外に第１給水装置が配置されているので、ドアのスライドによって第１給水装置による給水が妨げられる虞はなく、第１給水装置をドアがスライドする領域内に配置する場合に比べて第１給水装置を単純に構成することができる。一方、筐体においてドアがスライドする領域内に気体発生装置が配置されているので、第１給水装置と気体発生装置との間は遮られ、第１給水装置からの水による気体発生装置への浸水を防止することができる。そのため、洗濯物を一層効率的に浄化することができる。
【００１６】
請求項７記載の発明によれば、壁に対して、第１給水装置と気体発生装置との間を遮って気体発生装置への浸水を防止する機能だけでなく、ドアのスライドを案内する機能も付加することで、構成をシンプルにしつつも、洗濯機の機能性の向上を図ることができる。
請求項８記載の発明によれば、第２給水装置と気体発生装置との間は、送風装置によって遮られるので、第２給水装置からの水による気体発生装置への浸水を防止することができる。
【００１７】
請求項９記載の発明によれば、筐体においてドアがスライドする領域外に第２給水装置が配置されているので、ドアのスライドによって第２給水装置による給水が妨げられる虞はなく、第２給水装置をドアがスライドする領域内に配置する場合に比べて第２給水装置を単純に構成することができる。一方、筐体においてドアがスライドする領域内に気体発生装置が配置されているので、第２給水装置と気体発生装置との間は遮られ、第２給水装置からの水による気体発生装置への浸水を防止することができる。そのため、洗濯物を一層効率的に浄化することができる。
【発明を実施するための最良の形態】
【００１８】
以下には、図面を参照して、この発明の実施形態について具体的に説明する。
＜ドラム式洗濯機の構成＞
図１は、この発明の一実施形態に係る洗濯機としての、いわゆるトップオープンタイプのドラム式洗濯機１の斜視図である。なお、ドラム式洗濯機１の姿勢については、図１の紙面右上に示した方向矢印に沿うものとする。図２は、ドラム式洗濯機１における要部を抜き出して後側上方かつ右側から見た斜視図である。図３は、図２に示したドラム式洗濯機１における要部の平面図である。図４は、ドラム式洗濯機１の縦断面図であって、左右方向に沿った鉛直面で切断したときの断面を前方から見た図を示している。また、図５Ａは、ドラム式洗濯機１の縦断面図であって、前後方向に沿った鉛直面で切断したときの断面を右側から見た図において、外蓋２Ａが開口４を閉じた態様を示しており、図５Ｂは、図５Ａにおいて、外蓋２Ａが開口４を開いた態様を示している。
（筐体）
図１に示すように、このドラム式洗濯機１は、その外殻を形成する筐体２により区画されている。筐体２の上壁は、前後方向略中央位置から前側下方へ緩やかに湾曲して前壁に連続するように側断面視で扇状に形成されている。筐体２の上壁の前後左右方向中央位置には、洗濯物を筐体２内に出し入れするための出入口としての開口４が形成されている。開口４は、前後方向に長手の略矩形状に形成され、ドアとしての外蓋２Ａで開閉可能である。また、筐体２の上壁の、開口４が形成されている部分には、１対のガイドレール２１Ｌ、２１Ｒが開口４の左端縁および右端縁に沿って延設されており、外蓋２Ａは、ガイドレール２１Ｌ、２１Ｒに沿って前後方向にスライド自在となっている。
【００１９】
外蓋２Ａは、ばね３８（図５Ａ参照）によって開口４を開く方向、つまり後方へ付勢されており、このドラム式洗濯機１の運転中には、筐体２内（たとえば、開口４の前端部）に配置された外蓋ロック機構４９（図１には示されていない。）が外蓋２Ａに係合することにより、外蓋２Ａが閉じた状態でロックされるようになっている。
筐体２の上壁の、開口４よりも左側の部分の前後方向略中央位置には、洗濯に使用する洗剤を収容するための洗剤容器８が引き出し可能に配置されている。筐体２の上壁の、開口４よりも右側の部分の前半分側には、このドラム式洗濯機１の運転に関する設定操作や各種表示等を行うための操作表示部６が配置されている。
【００２０】
操作表示部６には、上述した外蓋ロック機構４９（図５Ａ参照）の外蓋２Ａに対する係合を解除して外蓋２Ａを開く際に操作するための蓋開ボタン６Ａが備えられている。外蓋２Ａが閉じた状態で蓋開ボタン６Ａを押操作すると、外蓋ロック機構の外蓋２Ａに対する係合が解除され、ばね３８（図５Ａ参照）の付勢力によって外蓋２Ａが開口４の後方にスライドし、開口４が開かれる。外蓋２Ａの前端部には把持部２Ｃが形成されており、開口４が開かれた状態で、把持部２Ｃを把持して開口４の前方にスライドさせることにより、外蓋２Ａで開口４を閉じることができる。なお、開口４が開かれた状態において、把持部２Ｃが開口４の後端縁に当接することにより、外蓋２Ａの、それ以上後方へのスライドが規制される。
【００２１】
また、筐体２の上壁の開口４よりも後側部分の内側（下側）には、図２に示すように、左右方向に長手の略直方体形状であり、上面が開口された収容部１５が筐体２に対して一体的に設けられている。収容部１５の内部は、上端縁がガイドレール２１Ｌに連続するように形成された壁としての仕切壁１６Ｌと、上端縁がガイドレール２１Ｒに連続するように形成された仕切壁１６Ｒとによって、左から順に、第１室２７と第２室２８と第３室２９とに区画されている。上述したように、仕切壁１６Ｌがガイドレール２１Ｌに連続し、仕切壁１６Ｒがガイドレール２１Ｒに連続しているので、外蓋２Ａ（図１参照）のスライドは、ガイドレール２１Ｌ、２１Ｒに加えて、仕切壁１６Ｌ、１６Ｒの各上端縁によっても案内される。また、図５Ａおよび図５Ｂに示すように、外蓋２Ａは、開口４の開閉に係わらず、第２室２８の上方を常に塞ぐように配置されている。なお、図５Ｂに示すように、外蓋２Ａを開くと、外蓋２Ａの、第２室２８の上方を塞いでいる部分以外は、収容部１５の下方において筐体２の後側壁に沿って収容される。
【００２２】
図２に示すように、第１室２７には、第１給水装置としての水道水給水バルブ２Ｂが配置され、第３室２９には、第２給水装置としての風呂水ポンプ２Ｄが配置されている。水道水給水バルブ２Ｂおよび風呂水ポンプ２Ｄは、それぞれの上部に給水口が形成されており、図１に示すように、各給水口が筐体２の上壁において対応する位置から外部に露出されている。そのため、水道水給水バルブ２Ｂと外部の給水設備（水道栓など）とを図示しない給水ホースで接続することにより、機内に水道水を供給することができ、同様に、風呂水ポンプ２Ｄに、浴槽に漬けた図示しない給水ホースを接続することにより、機内に風呂水を供給することができる。また、水道水給水バルブ２Ｂおよび風呂水ポンプ２Ｄは、洗剤容器８内に連通している。
【００２３】
上述したように、また、図３に示すように、第２室２８と第１室２７および第３室２９との間は、仕切壁１６Ｌおよび仕切壁１６Ｒによって遮断され、また、第２室２８の上方は外蓋２Ａ（図１参照）によって常に塞がれているので、水道水給水バルブ２Ｂおよび風呂水ポンプ２Ｄのいずれかにおいて万が一水漏れが発生したとしても、漏れ出した水が第２室２８内に流入する虞はない。
（外槽およびドラム）
図４に示すように、筐体２内には、詳しくは収容部１５（図２参照）よりも下方位置において、外槽７が収容されている。外槽７は、略円筒状の周面壁７Ａの両端面が端面壁（左端面壁７Ｌおよび右端面壁７Ｒ）で閉塞されることにより液密的かつ空密的に形成されており、その軸線が左右（略水平）に延びるように配置されている。外槽７は、その周面壁７Ａの下部を複数のダンパ５（図５Ａ参照）により支持されている。
【００２４】
外槽７の内部には、洗濯物を内部に収容するためのドラム１０が配置されている。ドラム１０は、略円筒状の周面壁１０Ｃの両端面が端面壁（左端面壁１０Ｌおよび右端面壁１０Ｒ）で閉塞されることにより形成されており、その軸線が左右（略水平）に延びるように配置されている。なお、外槽７およびドラム１０が洗濯槽として機能する。
ドラム１０の左右端面壁１０Ｌ、１０Ｒには、それぞれ、当該ドラム１０の軸線に沿って延びる回転軸１１Ｌ、１１Ｒが取り付けられている。各回転軸１１Ｌ、１１Ｒは、外槽７の左右端面壁７Ｌ、７Ｒに対して回転可能に取り付けられている。左側の回転軸１１Ｌには、いわゆるＤＤ（ダイレクトドライブ）方式でドラム駆動用のモータ１２が連結されていて、このモータ１２が回転駆動されることにより、回転軸１１Ｌに連結されたドラム１０が軸線回りに同じ回転速度で回転するようになっている。ドラム１０の周面壁１０Ｃの内面には、当該ドラム１０の回転時にドラム１０内の洗濯物を持ち上げるための３つのバッフル１０Ｂが、周面壁１０Ｃの周方向に互いに等間隔を空けて（たとえば、１２０°ごとに）、それぞれ左右方向に延びるように突設されている。
【００２５】
図５Ａに示すように、ドラム１０の周面壁１０Ｃの一部には、洗濯物の出し入れのための開口２２が形成されている。外槽７の周面壁７Ａには、筐体２の開口４に対向する位置に開口２３が形成されている。
ドラム１０の開口２２は、外側に向かって回動可能なドラム蓋２５により開閉できるようになっており、外槽７の開口２３は、外側に向かって回動可能な中蓋２６により開閉できるようになっている。外蓋２Ａ、中蓋２６およびドラム蓋２５をすべて開くことにより、筐体２の開口４、外槽７の開口２３およびドラム１０の開口２２を介してドラム１０に対して洗濯物の出し入れを行うことができる。
【００２６】
なお、ドラム１０に対して洗濯物の出し入れを行う際には、ドラム１０の開口２２が外槽７の開口２３に対向する位置になければ、ドラム蓋２５を開けることができない。そこで、図４に示すように、外槽７の左端面壁７Ｌの下部には、ドラム式洗濯機１の運転停止中などにモータ１２に係合して、ドラム１０の回転位置を、ドラム１０の開口２２（図５Ａ参照）が外槽７の開口２３（図５Ａ参照）に対向する位置に固定するためのドラム位置固定装置９が取り付けられている。
【００２７】
図５Ａに示すように、外槽７の周面壁７Ａの後端部には、洗剤容器８内に連通する給水ホース１７が接続されている。水道水給水バルブ２Ｂ（図１参照）を開くことにより、または風呂水ポンプ２Ｄ（図１参照）を駆動させることにより、水道水給水バルブ２Ｂからの水道水または風呂水ポンプ２Ｄ（図１参照）からの風呂水（以下、総称するときは「水」と呼ぶ。）が、洗剤容器８（図１参照）および給水ホース１７を介して外槽７内に供給される。なお、給水ホース１７は、例えば、可撓性を有する蛇腹ホースであり、外槽７内への給水の役割に加えて、ドラム１０の回転時に外槽７に生じる振動が筐体２に伝達されることを防止する役割も兼ねている。図２に示すように、給水ホース１７と洗剤容器８との間には、給水トラップ２４が介在されている。給水トラップ２４は、洗剤容器８から給水ホース１７へ流れる水を一時的に滞留させ、この水により洗剤容器８と給水ホース１７との間を遮断して、外槽７内の空気が外部と流通するのを防止するものである。
【００２８】
図４に示すように、外槽７の周面壁７Ａの右側下部には、排水口１９が形成されている。この排水口１９に連設された排水バルブ１８を閉じた状態で給水を行うことにより、外槽７内に水を溜めることができる。ドラム１０の周面壁１０Ｃには、開口２２を除くほぼ全周にわたって多数の通水孔１０Ａが形成されており、外槽７内に供給された水は、通水孔１０Ａを通ってドラム１０内にも流入するようになっている。外槽７内に溜まった水は、排水バルブ１８を開くことにより、排水口１９および排水ホース２０を介して機外に排出される。排水ホース２０の途中には溢水管３７（図２参照）の一端が接続されている。溢水管３７の他端は、図２に示すように、所定の高さの位置において外槽７の右端面壁７Ｒに接続されており、外槽７内に所定水位以上に水が溜められる場合に、その超過分の水は、溢水管３７および排水ホース２０（図４参照）を介して強制的に機外へ排出される。溢水管３７と排水ホース２０（図４参照）との間には、溢水トラップ４５が介在されている。溢水トラップ４５は、溢水管３７および／または排水ホース２０（図４参照）を流れる水を一時的に滞留させ、この水により、溢水管３７および／または排水ホース２０を介して外槽７内の空気が外部と流通するのを防止するものである。
（乾燥ユニット）
図４に示すように、このドラム式洗濯機１は、洗濯物を乾燥させるための乾燥行程を実行可能であって、外槽７の右端面壁７Ｒには、乾燥機能のための乾燥ユニット３が外側から取り付けられている。
【００２９】
図６は、外槽７、乾燥ユニット３および周辺部品を後側上方かつ右側から見た斜視図であり、図７は、図６に示した外槽７、乾燥ユニット３および周辺部品の右側面図である。
図６に示すように、乾燥ユニット３は、外槽７内の空気を吸い込んで上方へ導くための風路部材３１と、風路部材３１からの空気を外槽７内へ向けて送り込むための送風装置としてのファン３２と、ファン３２から送り込まれた空気を外槽７内に導くための誘導フード３３と、外槽７内に送り込む空気を温めるための１対のヒータ３４Ａおよび３４Ｂ（図７参照）とを備えている。風路部材３１および誘導フード３３が、内部を流れる空気、つまり風を外槽７内へ導き入れるための風路として機能する。この風路の途中に配置される構成となるファン３２は、その略上半分部分が収容部１５の第２室２８内（図３参照）に収容されるように、風路部材３１の上部に配置されており、ブロワモータ３５により回転駆動される。また、ヒータ３４Ａおよび３４Ｂ（図７参照）は、誘導フード３３内において左右に並べて配置されている。
【００３０】
図４に示すように、外槽７の周面壁７Ａの後側下部には、たとえばその左右方向略中央部に、正面視が略矩形状の排気口７１が形成されている。風路部材３１の下端部には吸込口３０（図７参照）が形成されており、排気口７１と吸込口３０（図７参照）とは、左右方向に延びる接続管７２により接続されており、風路部材３１内と外槽７内とは連通状態にある。そこで、ファン３２（図６参照）を回転駆動させると、風が流れる方向に見てファン３２よりも上流側に位置する風路部材３１内は負圧となるので、外槽７内の空気を、排気口７１および接続管７２を介して乾燥ユニット３内（風路部材３１内）に取り込むことができる。
【００３１】
外槽７の右端面壁７Ｒの中央部には、開口７Ｂが形成されており、誘導フード３３（図７参照）の下端部には吹出口４１（図７参照）が形成されており、吹出口４１と外槽７の開口７Ｂ（図７参照）とは連通しているため、誘導フード３３（図７参照）内と外槽７内とは連通状態にある。これにより、図６に示すように、外槽７内から風路部材３１内に取り込んだ空気を、ファン３２で誘導フード３３内に送り込み、さらに吹出口４１から外槽７内に吹き出すことにより、風路部材３１、ファン３２および誘導フード３３、つまり乾燥ユニット３と、外槽７とで形成される循環風路内で風を循環させることができる。また、図４に示すように、ドラム１０の右端面壁１０Ｒの中央部には、外槽７の開口７Ｂに対向する位置に、開口１０Ｄが形成されているので、循環風路内を循環する風はドラム１０内の洗濯物にも供給される。
【００３２】
たとえば乾燥行程時には、循環風路内を循環する風をヒータ３４で加熱して、吹出口４１（図７参照）から外槽７およびドラム１０の各開口７Ｂおよび１０Ｄを介してドラム１０内に送りつつ、ドラム１０を回転させる。これにより、ドラム１０内の洗濯物をバッフル１０Ｂによって持ち上げ、ある程度の高さから自然落下させるといった動作が繰り返されるので、加熱された風を洗濯物に満遍なく吹きつけることができ、洗濯物を良好に乾燥させることができる。
【００３３】
なお、図７に示す１対のヒータ３４（ヒータ３４Ａおよび３４Ｂ）のうち一方のヒータにのみ通電を行うことにより、ヒータ３４を「弱」（たとえば、約７００Ｗ）で駆動して比較的低温の風をドラム１０内に供給することができ、両方のヒータに通電を行うことにより、ヒータ３４を「強」（たとえば、約１４００Ｗ）で駆動して比較的高温の風をドラム１０内に供給することができるようになっている。また、ヒータ３４Ａおよび３４Ｂの両方に通電を行い、そのうちの一方のヒータを流れる交流電流に対して半波制御（半周期おきの交流電流を用いてヒータを駆動する制御）を行うことにより、ヒータ３４を「中」（たとえば、約１０００Ｗ）で駆動して、「弱」と「強」との中間の温度の風をドラム１０内に供給することもできる。
【００３４】
図６に示すように、風路部材３１は、下端部に上述した吸込口３０が形成され、外槽７の右端面壁７Ｒに沿ってその下端部から上部まで延びる第１風路部材３１１と、この第１風路部材３１１の上端部に連設され、外槽７の周面壁７Ａに対向するように、左方に向かって張り出した第２風路部材３１２とが一体的に形成されることにより構成されている。第１風路部材３１１は、左右方向の厚みの方が前後方向の厚みよりも小さい扁平形状を有している。一方、第２風路部材３１２は、前後方向の厚みの方が左右方向の厚みよりも小さい扁平形状を有している。
【００３５】
図７に示すように、第１風路部材３１１の左側面壁には、第２風路部材３１２との結合部よりもやや低い位置に、第１風路部材３１１内に水を供給するための供給口３６が形成されている。供給口３６には、その外側から供給管（図示せず）が接続されていて、この供給管（図示せず）に連通する供給バルブ１４（図７には示されていない。）が開かれることにより、供給管（図示せず）および供給口３６を介して所定量（たとえば、毎分約０．５リットル）の冷却水（水道水）が第１風路部材３１１内に流れ込むようになっている。乾燥行程時には、供給バルブ１４が開かれることにより供給口３６から第１風路部材３１１内に冷却水が供給され、第１風路部材３１１は、洗濯物から出る水分（水蒸気）を含んだ風を冷却してその水蒸気を凝縮液化させるための熱交換部として機能する。
（オゾン発生装置）
図８（ａ）は、気体発生装置としてのオゾン発生装置４２を後側上方かつ右側から見た斜視図であり、図８（ｂ）は、図８（ａ）において、ケースキャップ６４が取り外された態様を示したものである。図８（ｃ）は、図８（ｂ）において、気体発生部材としてのオゾン基板５１を抜き出して示したものであり、図８（ｄ）は、図８（ｃ）におけるオゾン基板５１の右側面図である。
【００３６】
このドラム式洗濯機１には、図６に示すように、洗濯物を浄化するための気体の一例として、オゾンを発生するオゾン発生装置４２と、オゾン発生装置４２と風路部材３１とを連通させてオゾン発生装置４２が発生したオゾンを風路部材３１内に導くための導路としての導入管４３とが備えられている。なお、気体を用いた洗濯物の浄化には、洗浄、消臭、除菌または芳香（心地の良い匂いを洗濯物につける）などが挙げられる。
【００３７】
オゾン発生装置４２は、図２に示すように、筐体２の収容部１５における第２室２８内に収容されている。詳しく、オゾン発生装置４２は、仕切壁１６Ｌを挟んで水道水給水バルブ２Ｂに隣接し、第２室２８内において、ファン３２に対して、その左側で隣接配置されている。また、オゾン発生装置４２は、外槽７、風路部材３１および誘導フード３３の上方に位置している。
【００３８】
オゾン発生装置４２は、図８（ａ）に示すように、実際にオゾンを発生するオゾン基板５１と、オゾン基板５１を収容するケーシング５２と、ケーシング５２が取付けられ、ケーシング５２を筐体２の収容部１５に固定するためのフレーム５３とを備えている。
図８（ｃ）に示すように、オゾン基板５１は、左右方向に長手の薄板状に形成されている。オゾン基板５１の後側面は、水平面に対して直交するように、つまり垂直方向に平行となるように形成されており、その上下方向略中央位置には、左右方向に長手の電極５４Ａが設けられ、また、オゾン基板５１には、オゾン基板５１よりも一回り小さく左右方向に長手の電極５４Ｂが内蔵されている。電極５４Ａと電極５４Ｂとは、前後方向に間隔を隔てて配置されており、また、それぞれの長手方向両側において、配線５５を介して電源基板（図示せず）と電気的に接続されている。電源基板（図示せず）から各配線５５を介して電極５４Ａと電極５４Ｂとの間に高電圧が印加されると、図８（ｄ）に示すように、無声放電（図示破線）が生じ、オゾン基板５１の後側面の周辺の空気内にオゾンが発生する。
【００３９】
ケーシング５２は、図８（ａ）に示すように、その前半分部分であるケースベース６３と後半分部分であるケースキャップ６４とで前後方向に２つに分割される構造となっており、図８（ｂ）に示すように、ケースベース６３はフレーム５３に固定されている。
ケーシング５２は、図８（ａ）に示すように、ケースベース６３とケースキャップ６４とが一体化された状態において、本体部５６と、本体部５６の右側に配置される空気流入部５７と、本体部５６の左側に配置されるオゾン流出部５８とを備えている。
【００４０】
本体部５６は、前後方向に長手であり、中空の略直方体形状に形成されており、その左右方向両側面には、図示しないが、開口部が形成されており、内部には、上述したオゾン基板５１が収容される。また、本体部５６の前半分側（ケースベース６３側）には、その上下方向両端部において、ねじ孔が形成されたねじ部５９が３つずつ左右方向に等間隔に設けられている。本体部５６の後半分側（ケースキャップ６４側）には、挿通孔が形成された挿通部６０が、ねじ部５９に対応する位置にそれぞれ設けられている。ねじ６１を、各挿通部６０に挿通して、ねじ部５９に締め付けることにより、本体部５６の前半分部分と後半分部分とが組み合わされ、ケースベース６３とケースキャップ６４とが一体化される。本体部５６内に収容されるオゾン基板５１には、図８（ｂ）に示すように、その上端縁と下端縁とを縁取るようにゴムパッキン６７が配置されており、このゴムパッキン６７が、一体化されたケースベース６３とケースキャップ６４とに押圧されることで、ケースベース６３とケースキャップ６４との接合部からオゾン基板５１への水の浸入や、オゾン基板５１のがたつきが防止される。
【００４１】
空気流入部５７は、図８（ａ）に示すように、中空の略立方体形状に形成されており、その上下左右方向両側面および後側面には開口部が形成されている。そのため、本体部５６の上述した右側の開口部を介して空気流入部５７内部と本体部５６内部とは連通している。空気流入部５７内には、スポンジフィルタ６６が嵌められており、外部の空気は、その空気に含まれる塵埃等がスポンジフィルタ６６によって捕獲されてから本体部５６内部のオゾン基板５１に供給される。
【００４２】
オゾン流出部５８は、中空円筒状に形成されており、その右端部が本体部５６の上述した左側の開口部に逆止弁６５を介して接続されている。これにより、オゾン流出部５８内部と本体部５６内部と連通している。また、オゾン流出部５８の左端部は導入管４３に接続されているので、オゾン基板５１で発生されたオゾンを含む空気がオゾン流出部５８を介して導入管４３へ流出される。なお、逆止弁６５は、本体部５６内のオゾンや空気が導入管４３へ流れるのは許容するが、導入管４３から本体部５６への逆流を阻止する。
【００４３】
フレーム５３は、中空の略直方体形状に形成されており、内部にはオゾン基板５１の配線５５や上述した電源基板（図示せず）が収容されている。なお、フレーム５３内部には、難燃性かつ絶縁性のウレタン樹脂が充填されており、配線５５および電源基板（図示せず）と水との接触や配線５５および電源基板（図示せず）からの電気漏洩が防止されている。フレーム５３の下端部における左右方向両端部には取付ステー６２がそれぞれ設けられており、取付ステー６２を、収容部１５の第２室２８（図２参照）における図示しない取付部にねじ等で組付けることにより、図２に示すように、オゾン発生装置４２は第２室２８内に固定される。
【００４４】
導入管４３は、図６に示すように、その一端部がオゾン発生装置４２のオゾン流出部５８に接続され、その他端部が風路部材３１の第２風路部材３１２の左側壁、詳しくはファン３２の近傍部分に接続されることにより、オゾン発生装置４２内部と、風路部材３１、つまり乾燥ユニット３を含む上述した循環風路内部とを連通している。導入管４３は、上述した一端部から下方へ緩やかに折れ曲がり、途中で屈曲してさらに下方に延びてから再度屈曲して上述した他端部に至る経路を形成している。そのため、オゾン発生装置４２で発生されたオゾンを含む空気は、導入管４３に沿って下方向きに流れて風路部材３１内に供給される。上述したように、ファン３２が回転駆動しているときには、風路部材３１内は負圧となるので、オゾン発生装置４２から風路部材３１へのオゾンの供給が促進される。
＜ドラム式洗濯機の洗濯運転＞
図９は、このドラム式洗濯機１の電気的構成を示すブロック図である。
【００４５】
図９に示すように、このドラム式洗濯機１の運転動作は、マイクロコンピュータを含む制御部４０によって制御される。制御部４０には、ＣＰＵ４１、ＲＯＭ４２、ＲＡＭ４３およびタイマ４４などが備えられている。
制御部４０には、操作表示部６（図１参照）が入出力可能に接続されている。また、制御部４０には、外槽７内の水位を検知するための水位センサ（図示せず）や、外槽７の排気口７１（図４参照）から出た空気の温度を検知するための温度センサ（図示せず）や、外蓋２Ａの開閉を検知するためのドアスイッチ（図示せず）からの信号などがそれぞれ入力されるようになっている。
【００４６】
制御部４０には、上述したモータ１２、ブロワモータ３５、ヒータ３４、水道水給水バルブ２Ｂ、風呂水ポンプ２Ｄ、供給バルブ１４、排水バルブ１８、外蓋ロック機構４９およびオゾン発生装置４２が、それぞれ負荷駆動部４８を介して接続されている。
図１０は、このドラム式洗濯機１による所定の洗濯運転を開始させた場合の制御部４０による制御の流れを示すフローチャートである。
（洗い行程）
図１０に示すように、ドラム式洗濯機１の運転が開始されると、制御部４０（図９参照）は、まず、所定時間（たとえば、６分間）だけ第１洗い行程を行う（ステップＳ１）。第１洗い行程の開始時には、水道水給水バルブ２Ｂ（図９参照）が開かれることにより、または風呂水ポンプ２Ｄ（図９参照）が駆動されることにより給水が行われ、この際、図１に示す洗剤容器８に予め投入されている洗剤が、給水された水に溶け込んで、その洗剤が溶け込んだ水が外槽７内に溜められることとなる。第１洗い行程では、図４に示す外槽７内への給水が完了した後、モータ１２を所定の停止時間を挟んで４５ｒｐｍで交互に正転／反転させる第１間欠制御（たとえば、１０秒オン−３秒オフ）と、モータ１２を所定の停止時間を挟んで３０ｒｐｍで交互に正転／反転させる第２間欠制御（たとえば、１０秒オン−３秒オフ）と、モータ１２を所定の停止時間を挟んで６０ｒｐｍで交互に正転／反転させる第３間欠制御（たとえば、１０秒オン−３秒オフ）とが所定の順序で繰り返し行われる。第１間欠制御では、ドラム１０内の洗濯物がバッフル１０Ｂによって持ち上げられ、ある程度の高さから自然落下するといった動作（いわゆるタンブリング）が繰り返されることにより、たたき洗いが達成される。第２間欠制御では、ドラム１０内の底部にある洗濯物がバッフル１０Ｂによって転がされることにより、もみ洗いが達成される。第３間欠制御では、ドラム１０内の洗濯物がドラム１０の周面壁１０Ｃに張り付いた状態で回転し、洗濯物が外槽７の底部に来たときに外槽７内に貯まった水が洗濯物に吸収され、その洗濯物に吸収された水が遠心力によって洗濯物から抜け出ることにより、洗濯物に含まれる汚れが水とともに洗濯物から除去されるようになっている。第１洗い行程が終了する際には、外槽７内に溜められている水が排水され、ドラム１０内の洗濯物は水と洗剤成分を含んだ状態となる。
【００４７】
第１洗い行程が終了すると、図１０に示すように、制御部４０は、所定時間（たとえば、１４分間）だけ第２洗い行程を行う（ステップＳ２）。この第２洗い行程では、図４に示すように、乾燥ユニット３を用いて外槽７内にスチームを供給して、洗濯物を温めつつドラム１０を回転させる。これにより、洗濯物に含まれる水が温められ、その温められた水を含む洗濯物が、ドラム１０の回転に伴って、他の洗濯物やドラム１０の内面と擦れたり、ドラム１０の内面にたたきつけられたりするようになっている。なお、スチームは、図７に示すように、供給口３６から第１風路部材３１１内に供給される冷却水を霧状にしてヒータ３４で加熱蒸発させることによって生成される。第２洗い行程では、外槽７内に給水を行う必要がないので、外槽７内に水を溜めた状態でドラム１０を回転させることにより洗濯を行う場合と比較して、水の使用量を低減できる。
（中間脱水行程）
第２洗い行程が終了すると、図１０に示すように、制御部４０は、中間脱水行程を行う（ステップＳ３）。中間脱水行程では、図４に示すように、ドラム１０が高速（たとえば、３００〜１０００ｒｐｍ）で回転されることにより、ドラム１０内の洗濯物に含まれる水が遠心力により絞り出され、この洗濯物から絞り出された水がドラム１０の通水孔１０Ａを通って外槽７側へ飛散し、排水口１９から排出される。この中間脱水行程により、洗濯物に含まれる水とともに、洗濯物に含まれる洗剤成分も絞り出されることとなる。
（すすぎ行程）
中間脱水行程が終了すると、図１０に示すように、制御部４０は、複数回（たとえば、２回）のすすぎ行程を行う（ステップＳ４）。すすぎ行程の開始時には、水道水給水バルブ２Ｂ（図９参照）が開かれることにより、または風呂水ポンプ２Ｄ（図９参照）が駆動されることにより給水が行われ、その後に、図４に示すように、外槽７内に所定量の水が溜められた状態でドラム１０が回転されることにより、ドラム１０内の洗濯物がタンブリングされる。このすすぎ行程により、洗濯物に残っている洗剤成分が希釈されることとなる。すすぎ行程が終了する際には、外槽７内に溜められている水が排水される。なお、最後のすすぎ行程は、水道水のみを用いて行われる。
（最終脱水行程）
すすぎ行程が終了すると、図１０に示すように、制御部４０は、最終脱水行程を行う（ステップＳ５）。最終脱水行程では、図４に示すように、ドラム１０が高速（たとえば、３００〜１０００ｒｐｍ）で回転されることにより、ドラム１０内の洗濯物に含まれる水が遠心力により絞り出される。
（乾燥行程）
最終脱水行程が終了して、洗濯物に含まれる水が十分に絞り出された後、制御部４０は、図１０に示すように、乾燥行程を行う（ステップＳ６）。
【００４８】
乾燥行程では、制御部４０（図９参照）は、上述したように、また図４に示すように、ヒータ３４で加熱された風を乾燥ユニット３から外槽７内に送りつつ、ドラム１０を回転させることにより、ドラム１０内の洗濯物のタンブリングを行う。これにより、加熱された風にドラム１０内の洗濯物を満遍なく晒して、洗濯物を良好に乾燥させることができる。
【００４９】
乾燥行程では、図７に示すように、ブロワモータ３５が駆動（たとえば、４５００ｒｐｍ）されるとともに、ヒータ３４（３４Ａおよび３４Ｂ）に通電が行われることにより、ヒータ３４が「強」で駆動される。これにより、乾燥行程中は、ドラム１０内の洗濯物から出る湿気を含んだ空気が、外槽７内から排気口７１（図４参照）および接続管７２（図４参照）を介して風路部材３１内（第１風路部材３１１内）に流入し、ヒータ３４により温められて再び外槽７内（ドラム１０内）に送り込まれることとなる。乾燥行程中は、供給バルブ１４（図９参照）が開かれて供給口３６から第１風路部材３１１内に冷却水が供給されることにより、第１風路部材３１１内では、湿気を含む空気が冷却水により冷却され、熱交換によって空気に含まれる水分が凝縮する。したがって、第１風路部材３１１内に流入した空気は、第１風路部材３１１内を通過する過程で水分が除去され、その後にヒータ３４により温められて、再び外槽７内（ドラム１０内）に送り込まれる。熱交換によって凝縮した水分は、第１風路部材３１１の内壁面に結露し、この内壁面を伝って流下する。そして、第１風路部材３１１の内壁面を伝って第１風路部材３１１の底部まで流下した水は、冷却水とともに吸込口３０から流れ出て、図４に示すように、接続管７２および排気口７１を介して外槽７内へと流出した後、排水口１９から排水される。
【００５０】
乾燥行程において、加熱されていない空気をドラム１０内に供給することで、乾燥された洗濯物を所定温度まで冷却するいわゆるクールダウン運転が、所定時間行われる。このクールダウン運転中において、図２に示すように、制御部４０（図９参照）は、オゾン発生装置４２を動作させてオゾンを発生させる。発生されたオゾンは、導入管４３を介して風路部材３１内に流れ込むことにより、上述した循環風路内を流れる風とともに外槽７内（ドラム１０内）に送り込まれ、洗濯物に浴びせられる。これにより、洗濯物に残留している汚れ成分や、臭い成分や、雑菌成分は、供給されるオゾンにより酸化されることで、洗浄され、消臭され、あるいは除菌される。なお、オゾンが外槽７内に供給されている間、図９に示すように、制御部４０によって、水道水給水バルブ２Ｂ、供給バルブ１４および排水バルブ１８が閉じられており、風呂水ポンプ２Ｄの駆動は停止されている。また、図２に示すように、洗い行程での給水時において給水トラップ２４に水が滞留し、排水時において溢水トラップ４５に水が滞留している。これにより、外槽７内は空密的な状態になり、オゾンが機外へ漏れ出す虞はない。また、オゾンが外槽７内に供給されている間、そして、供給された全てのオゾンが酸化反応により消滅し、オゾンの濃度が人体にとって影響のないレベルにまで低下するまでの間、制御部４０は、図９に示すように、外蓋ロック機構４９を作動させて、外蓋２Ａ（図１参照）を開じた状態でロックしている。
（その他）
オゾンは乾燥している洗濯物に浸透しやすいので、乾燥している洗濯にオゾンを供給すると高い浄化効果を得ることができる。そのため、オゾンによる洗濯物の浄化は、上述した乾燥行程中に限らず、洗い行程の前にも行われる。洗い行程の前に洗濯物のオゾン浄化を行う場合、給水トラップ２４（図２参照）および溢水トラップ４５（図２参照）に水が滞留していないことがある。そのため、制御部４０は、外槽７内を上述した空密的な状態にするために、水道水給水バルブ２Ｂ、風呂水ポンプ２Ｄ、供給バルブ１４および排水バルブ１８を適宜開閉または駆動して給水トラップ２４および溢水トラップ４５に水を滞留させる。なお、オゾン供給は、洗い工程の前および乾燥工程のどちらかで行われても良いし、両方で行われても構わない。オゾン供給時間が長いほど、洗濯物の浄化が促進される。また、このドラム式洗濯機１では、オゾンで洗濯物を浄化する機能により、水に濡らすことができない洗濯物に対応することもできる。
＜効果＞
以上に示したように、ドラム式洗濯機１では、図６に示すように、オゾン発生装置４２が発生したオゾンを、導入管４３によって風路部材３１内に導き、風路部材３１を含む上述した循環風路で風に乗せることでオゾンを外槽７内に供給することで、ドラム１０内の洗濯物をオゾンにより浄化することができる。この導入管４３は、オゾン発生装置４２から下方向きに延びて風路部材３１に接続されているので、導入管４３内外の温度差によって導入管４３内に結露が生じたとしても、その結露によって生じた水滴は、自重によって風路部材３１へ向けて下降し、オゾン発生装置４２内には浸入しない。また、洗濯運転時に外槽７内で発生した水泡や洗剤泡が導入管４３内に浸入し、破泡することで水滴になったとしても、結露による水滴と同様に、自重によって風路部材３１へ向けて下降し、オゾン発生装置４２内には浸入しない。そして、オゾン発生装置４２は、外槽７の上方に配置されているので、上述した水滴の浸入を一層確実に防止することができる。そのため、オゾン発生装置４２への浸水を防止することができ、洗濯物を効率的に浄化することができる。
【００５１】
図８に示すように、オゾン発生装置４２において実際にオゾンを発生させるオゾン基板５１は、オゾン発生面となる後側面が水平面に対して直交するように配置されているので、この後側面に水滴が付着しても、その水滴は、自重により下方へ落下する。そのため、オゾン基板５１の後側面への浸水を防止することができるので、洗濯物を一層効率的に浄化することができる。この後側面は、付着した水滴を落下させることができるのであれば、水平面に対して傾斜していても構わない。
【００５２】
図６に示すように、上述した風路（風路部材３１および誘導フード３３）との途中に配置されるファン３２が作動しているとき、この風路から外槽７へ風が流れる方向において、風路の、ファン３２よりも上流側、つまり風路部材３１内は負圧となる。導入管４３は風路部材３１に接続されているので、ファン３２が作動しているとき、オゾン発生装置４２が発生したオゾンは、風路部材３１内へ効率的に供給される。そして、ファン３２がオゾン発生装置４２に対して隣接配置されているので、導入管４３を比較的短くすることができ、オゾン発生装置４２で発生した気体は、風路部材３１内へ一層効率的に供給される。また、導入管４３が短くなることにより、導入管４３内外の温度差が生じにくくなるので、結露が生じにくくなる。そのため、洗濯物を効率的に浄化しつつ、ドラム式洗濯機１をコンパクトに構成することができる。
【００５３】
図３に示すように、筐体２の収容部１５において、第２室２８に収容されるオゾン発生装置４２と第１室２７に収容される水道水給水バルブ２Ｂとの間は仕切壁１６Ｌによって遮られているので、水道水給水バルブ２Ｂからの水によるオゾン発生装置４２への浸水を防止することができる。さらに、水道水給水バルブ２Ｂとオゾン発生装置４２とを互いに隣接するように配置しているので、ドラム式洗濯機１をコンパクトに構成することができる。図２に示すように、仕切壁１６Ｌの上端縁は、ガイドレール２１Ｌに連続しているので、外蓋２Ａ（図１参照）のスライドは、ガイドレール２１Ｌに加えて、仕切壁１６Ｌの上端縁によっても案内される。そのため、仕切壁１６Ｌに対して、水道水給水バルブ２Ｂとオゾン発生装置４２との間を遮ってオゾン発生装置４２への浸水を防止する機能だけでなく、外蓋２Ａのスライドを案内する機能も付加することで、構成をシンプルにしつつも、ドラム式洗濯機１の機能性の向上を図ることができる。
【００５４】
図３に示すように、オゾン発生装置４２は、第２室２８内において、ファン３２に対して、その左側で隣接配置されている。つまり、ファン３２が、オゾン発生装置４２に対して水道水給水バルブ２Ｂの反対側に隣接配置されている。また、風呂水ポンプ２Ｄは、オゾン発生装置４２との間にファン３２を挟むように配置されている。そのため、風呂水ポンプ２Ｄとオゾン発生装置４２との間は、ファン３２によって遮られるので、風呂水ポンプ２Ｄからの水によるオゾン発生装置４２への浸水を防止することができる。また、このように水道水給水バルブ２Ｂ、オゾン発生装置４２、ファン３２および風呂水ポンプ２Ｄを配置することで、ドラム式洗濯機１をコンパクトに構成することができる。
【００５５】
また、図５Ａおよび図５Ｂに示すように、外蓋２Ａは、開口４の開閉に係わらず、第２室２８の上方を常に塞ぐように配置されているので、オゾン発生装置４２は、外蓋２Ａがスライドする領域内に配置されている。一方、水道水給水バルブ２Ｂが収容される第１室２７と風呂水ポンプ２Ｄが収容される第３室２９とは、図３に示すように、外蓋２Ａがスライドする領域外に配置されているので、水道水給水バルブ２Ｂおよび風呂水ポンプ２Ｄとオゾン発生装置４２との間は遮られ、水道水給水バルブ２Ｂおよび風呂水ポンプ２Ｄからの水によるオゾン発生装置４２への浸水を防止することができる。そのため、洗濯物を一層効率的に浄化することができる。また、外蓋２Ａのスライドによって水道水給水バルブ２Ｂおよび風呂水ポンプ２Ｄの外槽７への給水が妨げられる虞はなく、水道水給水バルブ２Ｂおよび風呂水ポンプ２Ｄを、外蓋２Ａがスライドする領域内に配置する場合に比べて単純に構成することができる。
＜変形例＞
この発明は、以上の実施形態の内容に限定されるものではなく、請求項記載の範囲内において種々の変更が可能である。
【００５６】
たとえば、ドラム１０は、その軸線が左右方向に延びるように配置された構成に限らず、たとえば前後方向に延びるような構成であってもよい。この場合、ドラムの軸線は、略水平方向に延びるような構成に限らず、たとえば水平方向に対して所定角度範囲内（たとえば、３０°程度まで）で傾いていてもよい。また、ドラムの軸線が垂直に延びる構成であってもよい。
【００５７】
また、ドラム式洗濯機１を、上蓋２Ａを筐体２の上壁に設けたいわゆるトップオープンタイプの構成としたが、前壁に設けたいわゆるフロントオープンタイプの構成としてもよい。
上記実施形態では、ドラム式洗濯機の一例として、乾燥機能を備えたドラム式洗濯機１を例にとって説明したが、この発明は、乾燥機能を備えていないドラム式洗濯機や、パルセータを用いた渦巻式の洗濯機にも適用可能である。
【００５８】
また、このオゾン発生装置４２は、洗濯物を洗浄、消臭および除菌するオゾンを発生させたが、これに限らず、例えば、洗濯物に芳香を与える気体を発生させるものであってもよい。
【図面の簡単な説明】
【００５９】
【図１】この発明の一実施形態に係るドラム式洗濯機１の斜視図である。
【図２】ドラム式洗濯機１における要部を抜き出して後側上方かつ右側から見た斜視図である。
【図３】図２に示したドラム式洗濯機１における要部の平面図である。
【図４】ドラム式洗濯機１の縦断面図であって、左右方向に沿った鉛直面で切断したときの断面を前方から見た図を示している。
【図５Ａ】ドラム式洗濯機１の縦断面図であって、前後方向に沿った鉛直面で切断したときの断面を右側から見た図において、外蓋２Ａが開口４を閉じた態様を示している。
【図５Ｂ】図５Ａにおいて、外蓋２Ａが開口４を開いた態様を示している。
【図６】外槽７、乾燥ユニット３および周辺部品を後側上方かつ右側から見た斜視図である。
【図７】図６に示した外槽７、乾燥ユニット３および周辺部品の右側面図である。
【図８】（ａ）は、オゾン発生装置４２を後側上方かつ右側から見た斜視図であり、（ｂ）は、（ａ）において、ケースキャップ６４が取り外された態様を示したものであり、（ｃ）は、（ｂ）において、オゾン基板５１を抜き出して示したものであり、（ｄ）は、（ｃ）におけるオゾン基板５１の右側面図である。
【図９】このドラム式洗濯機１の電気的構成を示すブロック図である。
【図１０】このドラム式洗濯機１による所定の洗濯運転を開始させた場合の制御部４０による制御の流れを示すフローチャートである。
【符号の説明】
【００６０】
１      ドラム式洗濯機
２      筐体
２Ａ    外蓋
２Ｂ    水道水給水バルブ
２Ｄ    風呂水ポンプ
４      開口
７      外槽
１０    ドラム
１６Ｌ  仕切壁
３１    風路部材
３２    ファン
３３    誘導フード
４２    オゾン発生装置
４３    導入管
５１    オゾン基板
【図１】
0004592640.tif 000002
【図２】
0004592640.tif 000003
【図３】
0004592640.tif 000004
【図４】
0004592640.tif 000005
【図５Ａ】
0004592640.tif 000006
【図５Ｂ】
0004592640.tif 000007
【図６】
0004592640.tif 000008
【図７】
0004592640.tif 000009
【図８】
0004592640.tif 000010
【図９】
0004592640.tif 000011
【図１０】
0004592640.tif 000012